(57)【特許請求の範囲】
【請求項１】
電子装置のケースに装着されて、前記ケースを支持するために用いられるスタンド装置であって、
前記スタンド装置は、前記ケースに開設された組立凹所に対応して装着される基板と、一端が前記基板に回転可能に装着される支持ユニットと、一端が前記支持ユニットに回転可能に装着され、他端の両側にはそれぞれ１つのロックピンが突設される支持アームと、前記基板上に対向設置されて、互いに近付く方向又は遠ざかる方向へスライドできる２つの保持ユニットと、を備えてなり、
前記２つの保持ユニットの対向する片側には、それぞれ複数の凹所が開設され、前記２つのロックピンは、前記２つの保持ユニットの間でスライドできるが、前記２つの保持ユニットの一対の凹所内に係止されると、前記支持ユニットは前記基板に対して静止されることを特徴とするスタンド装置。
【請求項２】
前記２つの保持ユニットを元の位置に復帰させるための２つの復帰部材をさらに備え、各復帰部材の両端が前記２つの保持ユニットの対向する一端に固定されることを特徴とする請求項１に記載のスタンド装置。
【請求項３】
各々の保持ユニットの両端に近接する所には、それぞれ１つのスライド溝が開設され、前記組立凹所の底壁には、四つの凸部が設置され、前記四つの凸部を対応する前記スライド溝にそれぞれ係合して、前記凸部が前記スライド溝内でスライドすることにより、前記２つの保持ユニットが互いに遠ざかる方向又は近づく方向へスライドすることを特徴とする請求項１に記載のスタンド装置。
【請求項４】
前記基板はガイドレールを含み、前記支持アームの他端には、ガイド溝が開設され、前記ガイド溝が前記ガイドレールにスライド可能に設置されることを特徴とする請求項１に記載のスタンド装置。
【請求項５】
第一回転軸及び前記第一回転軸に被せられるトーションバネをさらに備え、前記第一回転軸の両端は前記支持ユニットの２つの軸筒に収納され、前記トーションバネは、同一表面に位置し延在方向は相反する第一弾性アームと第二弾性アームとを含み、前記第一弾性アームと第二弾性アームとはそれぞれ前記基板及び前記支持ユニットに当接されることを特徴とする請求項１〜４のいずれか一項に記載のスタンド装置。
【請求項６】
第二回転軸をさらに含み、前記支持ユニットには２つの同軸心のチャネルが開設され、前記支持アームの前記支持ユニットに連接する一端に軸筒が設置され、前記第二回転軸は前記軸筒を貫き、且つ前記第二回転軸の両端が前記２つのチャネル内に固定されることを特徴とする請求項１に記載のスタンド装置。
【請求項７】
一端が台形体である押しボタンをさらに含み、前記２つの保持ユニットは前記台形体に組み合う楔形面を有し、前記押しボタンを押すと、前記台形体が前記２つの保持ユニットの楔形面を押し出して、前記２つの保持ユニットが互いに離れる方向へ押し退けることを特徴とする請求項１に記載のスタンド装置。
【請求項８】
組立凹所が開設されたケースと、
前記組立凹所内に装着されるスタンド装置と、を備えてなる電子装置において、
前記スタンド装置は、基板と、一端が前記基板に回転可能に装着される支持ユニットと、一端が前記支持ユニットに回転可能に装着され、他端の両側にはそれぞれ１つのロックピンが突設される支持アームと、前記基板上に対向設置されて、互いに近付く方向又は遠ざかる方向へスライドできる２つの保持ユニットと、を備えてなり、
前記２つの保持ユニットの対向する片側には、それぞれ複数の凹所が開設され、前記２つのロックピンは、前記２つの保持ユニットの間でスライドできるが、前記２つの保持ユニットの一対の凹所内に係止されると、前記支持ユニットは前記基板に対して静止される
ことを特徴とする電子装置。
【請求項９】
各々の保持ユニットの両端に近接する所には、それぞれ１つのスライド溝が開設され、前記組立凹所の底壁には、四つの凸部が設置され、前記四つの凸部をそれぞれ対応する前記スライド溝内に係合させ、前記凸部が前記スライド溝内でスライドすることにより、前記２つの保持ユニットが互いに遠ざかる方向又は近づく方向へスライドすることを特徴とする請求項８に記載の電子装置。
【発明の詳細な説明】
【技術分野】
【０００１】
本発明はスタンド装置に係り、特に電子装置に用いられるスタンド装置に関するものである。
【背景技術】
【０００２】
通信技術の発展に伴って、コンピュター、携帯電話、個人用携帯情報端末（ＰＤＡ）などの電子装置は、動画を表示することのできるマルチメディア機能を備えていることが多い。従って、マルチメディア機能を便利に使用させるためのスタンド装置が多く設計された。スタンド装置を電子装置のディスプレイパネルに対向するリアケースの表面に装着し、電子装置を支持することにより、ユーザーは表示画面を便利に鑑賞することができる。しかし、従来のスタンド装置は手動で開けなければならなく、角度調整も限られているため不便であった。
【発明の概要】
【発明が解決しようとする課題】
【０００３】
上述した問題に鑑みて、開け易く、支持角度を調節易いスタンド装置及び該スタンド装置を用いる電子装置を提供する。
【課題を解決するための手段】
【０００４】
本発明に係るスタンド装置は、基板と、一端が前記基板に回転可能に装着される支持ユニットと、一端が前記支持ユニットに回転可能に装着され、他端の両側にはそれぞれ１つのロックピンが突設される支持アームと、前記基板上に対向設置されて、互いに近付く方向又は遠ざかる方向へスライドできる２つの保持ユニットと、を備えてなる。前記２つの保持ユニットの対向する片側には、それぞれ複数の凹所が開設される。前記２つのロックピンは、前記２つの保持ユニットの間でスライドできるが、前記２つの保持ユニットの一対の凹所内に係止されると、前記支持ユニットは前記基板に対して静止される。
【０００５】
また、本発明に係る電子装置は、組立凹所が開設されたケースと、前記組立凹所内に装着されるスタンド装置と、を備える。前記スタンド装置は、基板と、一端が前記基板に回転可能に装着される支持ユニットと、一端が前記支持ユニットに回転可能に装着され、他端の両側にはそれぞれ１つのロックピンが突設される支持アームと、前記基板上に対向設置されて、近付くか又は遠ざかる方向へスライドできる２つの保持ユニットと、を備えてなる。前記２つの保持ユニットの対向する片側には、それぞれ複数の凹所が開設される。前記２つのロックピンは、前記２つの保持ユニットの間でスライドできるが、前記２つの保持ユニットの一対の凹所内に係止されると、前記支持ユニットは前記基板に対して静止される。
【発明の効果】
【０００６】
従来の技術と比べて、本発明に係るスタンド装置及び該スタンド装置を用いる電子装置において、前記支持ユニットの一端は前記ケースと回転可能に連結する。しかも、前記支持アームの一端が回転可能に前記支持ユニットに連結し、他端が前記ケース内の保持ユニットの間に保持される。このように、前記支持ユニット、支持アーム及びケースは安定する三角形を形成してなり、前記支持ユニットを介して、前記ケースをしっかりと支持する。前記支持ユニットと前記ケースの間の支持角を変える必要があれば、押しボタンを押して前記２つの保持ユニットをさらに分離すれば、両者の間に異なる支持角を形成することができる。よって、本発明のスタンド装置は開け易く、支持角度を調節易い。
【図面の簡単な説明】
【０００７】
【図１】本発明の実施形態に係るスタンド装置を用いる電子装置の立体分解図である。
【図２】本発明の実施形態に係るスタンド装置を用いる電子装置の別の視角からの立体分解図である。
【図３】図１の電子装置に基板を装着しない場合の局部拡大図である。
【図４】図１に示す電子装置の組立図である。
【図５】図４に示す電子装置のスタンド装置の作動状態図である。
【図６】図５に示す電子装置に基板を装着しない場合の局部拡大図である。
【発明を実施するための形態】
【０００８】
本発明の実施形態に係るスタンド装置は、携帯電話、個人用携帯情報端末等の電子装置に適用する。
【０００９】
図１に示したように、本発明の実施形態に係るスタンド装置２０は、前記電子装置１００に装着されて、前記電子装置１００のケース１０を支持することに用いられる。
【００１０】
図２を一緒に参照すると、前記ケース１０は底面１１及び組立凹所１２を備える。前記組立凹所１２は、前記底面１１から凹んで形成されており、底壁１２２、対向して形成される２つの側壁１２４及び対向して形成される２つの端壁１２６を備える。前記２つの側壁１２４と前記２つの端壁１２６は、前記底壁１２２の四辺を囲んで設置され且つ前記底壁１２２に連結している。前記底壁１２２上には、両側にそれぞれ複数の凸部１２２４が突設される収容開口部１２２２が開設されている。前記収容開口部１２２２の前記一方の端壁１２６に近接する一端の両側には、それぞれ前記収容開口部１２２２に連通する切り欠き部１２２６が開設されている。前記側壁１２４上には、横断面が「Ｌ」型であり、前記スタンド装置２０を装着することに用いられる複数の係止部１２４２が設置されている。前記切り欠き部１２２６から離れているもう一方の端壁１２６の中部には、貫通孔１２６２が開設されている。前記ケース１０上には、前記電子装置１００のフロントケース（図示せず）を装着するための複数の取付用孔１２８が開設されている。
【００１１】
前記スタンド装置２０は、基板２１と、支持ユニット２２と、第一回転軸２３と、トーションバネ２４と、２つの保持ユニット２５と、前記２つの保持ユニット２５を連接する２つの復帰部材２６と、前記保持ユニット２５と前記支持ユニット２２とを連結する支持アーム２７と、第二回転軸２８と、前記スタンド装置２０の開放を制御する押しボタン２９と、を備える。前記第一回転軸２３と前記トーションバネ２４を介して、前記支持ユニット２２の一端を前記基板２１上に回転可能に装着する。前記支持アーム２７は、前記第二回転軸２８を介して、前記支持ユニット２２に回転可能に連結する。本実施形態において、前記復帰部材２６は螺旋状のスプリングである。
【００１２】
前記基板２１の中部にはガイドレール２１２が設置されており、前記ガイドレール２１２の両側には、それぞれ１つの凸状ブロック２１４が設置されており、前記基板２１の一端には、装着凹所２１６が開設される。本実施形態において、前記ガイドレール２１２は長方形の柱状体であり、前記支持アーム２７を案内して前記基板２１上でスライドする機能を担っている。前記凸状ブロック２１４は前記ケース１０の底壁１２２と組み合せて、前記保持ユニット２５が前記基板２１の表面において垂直方向に移動することを制限する。前記装着凹所２１６は前記ケース１０の切り欠き部１２２６と組み合せて、前記第一回転軸２３を収納するための装着部を形成する。
【００１３】
前記支持ユニット２２は、装着端２２４と、自由端２２６と、２つのリブ２２２と、を備える。前記装着端２２４及び前記自由端２２６は、前記支持ユニット２２の相対する両端に設置される。前記２つのリブ２２２は、前記支持ユニット２２の相対する両辺に突設され、且つ前記装着端２２４から前記自由端２２６に向けて前記支持ユニット２２の中央部まで延びている。前記装着端２２４の前記２つのリブ２２２から離れる一端には、中心線が同一直線上に位置する２つの軸筒２２２２が開設されている。前記２つのリブ２２２と前記装着端２２４との接続部位には、さらに中心線が同一直線上に位置する２つのチャネル２２２６が開設されている。
【００１４】
前記トーションバネ２４は、２つの螺旋状を呈する固定部２４２と、前記２つの固定部２４２を連接する第一弾性アーム２４４と、前記２つの固定部２４２の自由端に設置された２つの第二弾性アーム２４６と、を備える。前記第一弾性アーム２４４の延在方向は前記第二弾性アーム２４６の延在方向と相反するが、前記第一弾性アーム２４４と前記第二弾性アーム２４６はほぼ同一表面に位置する。組み立てた後、前記固定部２４２は前記第一回転軸２３を被覆し、前記第一弾性アーム２４４は前記基板２１に当接し、前記第二弾性アーム２４６は前記支持ユニット２２の装着端２２４に当接する。
【００１５】
各保持ユニット２５の両端に近接する所には、別々にスライド溝２５２と前記復帰部材２６を装着するための装着部２５４が開設されている。本実施形態において、前記２つの保持ユニット２５の装着部２５４は貫通穴であり、且つ対向して形成される。前記２つの保持ユニット２５の相対する側壁には、複数の凹所２５６が対向して開設される。各保持ユニット２５の端部には、前記スタンド装置２０の開放を制御する楔形面２５８が形成される。前記保持ユニット２５を前記組立凹所１２の底壁１２２に装着した後、前記２つの楔形面２５８が対向設置されて、横断面の幅が下から上へ徐々に増大する台形状の開口を構成する。
【００１６】
前記支持アーム２７は、ほぼ平板状体であり、その一端の中部にはガイド溝２７２が開設される。前記ガイド溝２７２の両側には、それぞれ１つのロックピン２７４が突設される。前記支持ユニット２７の他端は折り曲げられて軸筒２７６を形成する。
【００１７】
前記押しボタン２９は、押圧部２９２と、前記押圧部２９２に連接する台形体２９４と、を備える。前記台形体２９４の両側には、それぞれ前記保持ユニット２５の楔形面２５８に組み合せる斜面２９４２が設置されている。本実施形態において、前記台形体２９４の横断面がより大きい一端は前記押圧部２９２に連結される。
【００１８】
図３及び図４を一緒に参照すると、前記電子装置１００の組立過程は以下のようなステップを備える。
【００１９】
まず、前記トーションバネ２４の２つの第二弾性アーム２４６を前記支持ユニット２２の２つのリブ２２２の間に保持する。続いて、前記第一回転軸２３を前記支持ユニット２２の一方の軸筒２２２２、前記トーションバネ２４の固定部２４２及びもう一方の軸筒２２２２に順次貫かせる。続いて、前記第二回転軸２８を前記支持ユニット２２の一方のチャネル２２２６、前記支持アーム２７の軸筒２７６及びもう一方のチャネル２２２６に順次貫かせる。これにより、前記支持ユニット２２の一端は前記第一回転軸２３を中心に回転でき、前記支持アーム２７の一端は前記第二回転軸２８を中心に回転することができる。次いで、前記支持ユニット２２の自由端２２６を前記収容開口部１２２２を通して前記ケース１０から突き出させるとともに、前記２つの軸筒２２２２をそれぞれ前記２つの切り欠き部１２２６に収納する。
【００２０】
次に、前記押しボタン２９の押圧部２９２を前記ケース１０の貫通孔１２６２の位置に合せて、前記ケース１０の組立凹所１２から前記台形体２９４を上へ突き上げて、前記押圧部２９２を前記ケース１０から露出させる。続いて、前記１つの保持ユニット２５の２つのスライド溝２５２を前記収容開口部１２２２の片側に位置する２つの凸部１２２４に位置を合せてから、前記保持ユニット２５を押して、前記凸部１２２４を前記スライド溝２５２内に係合させる。同じような方法でもう１つの保持ユニット２５を前記収容開口部１２２２の他の側に装着する。このように、前記２つの保持ユニット２５の凹所２５６を有する２つの側壁が対向するように、前記２つの保持ユニット２５を前記収容開口部１２２２の両側に装着する。更に、各復帰部材２６の両端を前記２つの保持ユニット２５の対向する２つの装着部２５４内に固定すると、前記保持ユニット２５が前記復帰部材２６に引っ張られて、その２つの楔形面２５８は前記押しボタン２９の台形体２９４をしっかりと保持する。
【００２１】
最後に、前記基板２１のガイドレール２１２を有する一面を前記ケース１０の組立凹所１２に向けてから前記基板２１を押して、前記基板２１を前記係止部１２４２内に係止させる。このように、前記保持ユニット２５を前記基板２１と前記ケース１０との間に固定する。従って前記２つの保持ユニット２５は、前記凸部１２２４及び前記スライド溝２５２に制限されて、前記スライド溝２５２に沿って近づくまたは離れるようにスライドすることができる。以上で、前記電子装置１００が組み立てられた。
【００２２】
前記スタンド装置２０を使用しない場合、前記支持ユニット２２は前記収容開口部１２２２内に収納され、前記ロックピン２７４が前記２つの保持ユニット２５の対向する一対の凹所２５６内に係止されて、前記支持ユニット２２を前記ケース１０に固定する。この際、前記トーションバネ２４の２つの弾性アーム２４６は向き合うように湾曲して、一定の弾性力を蓄積する。
【００２３】
図５と図６を一緒に参照すると、前記スタンド装置２０を使用する場合、前記押しボタン２９を押すと、前記台形体２９４が前記楔形面２５８に沿って下へ移動するとともに前記２つの保持ユニット２５を押し出して、前記２つの保持ユニット２５を互いに離れる方向へ押し退ける。従って、前記支持アーム２７のロックピン２７４は前記凹所２５６から抜け出す。前記トーションバネ２４の弾性力によって、前記支持ユニット２２の自由端２２６は、前記ケース１０の収容開口部１２２２から自動的に飛び出るとともに前記支持アーム２７を連動して、前記支持アーム２７のガイド溝２７２が前記ガイドレール２１２に沿って前記第一回転軸２３に向かいスライドする。前記ロックピン２７４が次の凹所２５６内に再び係止されると、前記支持アーム２７はスライドを停止する。この際、前記支持ユニット２２と前記ケース１０との間に支持角が形成され、且つ前記支持ユニット２２、前記支持アーム２７及び前記ケース１０は共同で安定した三角形を構成する。このように、前記スタンド装置２０を介して前記ケース１０をしっかりと支持する。
【００２４】
前記支持ユニット２２を前記ケース１０に相対してより大きい角度に開ける必要があれば、さらに前記押しボタン２９を押すだけで、前記２つの保持ユニット２５が大きく分離されて、前記ロックピン２７４が前記第一回転軸２３にさらに近づく凹所２５６内に係止される。前記押しボタン２９を押す押圧力を制御することにより、前記支持アーム２７と前記ケース１０との間に異なる支持角を形成することができる。上述した内容により、本発明のスタンド装置２０は、開き易く、且つ支持角度を調節易い等の利点がある。
【００２５】
なお、前記凸部１２２４を前記ケース１０に設置することに限定されるものではなく、前記凸部１２２４を前記基板２１に設置してもよい。
【００２６】
なお、前記支持アーム２７のロックピン２７４を前記保持ユニット２５から離脱せずに前記保持ユニット２５の凹所２５６内に係止するために、別の方式を採用してもよい。例えば、前記基板２１のガイドレール２１２の両側にそれぞれ１つのガイド溝を開設し、前記支持アーム２７のガイド溝２７２の対向する側壁に前述ガイド溝内でスライド可能なガイドピンを突設してもよい。
【００２７】
なお、前記支持ユニット２２の２つの軸筒２２２２を装着するために、前記基板２１に切り欠き部が設置された蓋体を装着して装着部を形成してもよい。
【００２８】
以上、本発明の好適な実施例について詳細に説明したが、本発明は前記実施例に限定されるものではなく、本発明の範囲内で種々の変形、又は改良が可能であり、該変形又は改良も、本発明の特許請求の範囲内に含まれるものであることはいうまでもない。
【符号の説明】
【００２９】
１０  ケース
１１  底面
２０  スタンド装置
２１  基板
２２  支持ユニット
２３  第一回転軸
２４  トーションバ
２５  保持ユニット
２６  復帰部材
２７  支持アーム
２８  第二回転軸
２９  押しボタン
１００  電子装置
１２２  底壁
１２４  側壁
１２６  端壁
１２８  取付用孔
２１２  ガイドレール
２１４  凸状ブロック
２１６  装着凹所
２２２  リブ
２２４  装着端
２２６  自由端
２４２  固定部
２４４  第一弾性アーム
２４６  第二弾性アーム
２５２  スライド溝
２５４  装着部
２５６  凹所
２５８  楔形面
２７２  ガイド溝
２７４  ロックピン
２７６  軸筒
２９２  押圧部
２９４  台形体
１２２２  収容開口部
１２２４  凸部
１２２６  切り欠き部
１２４２  係止部
１２６２  貫通孔
２２２２  軸筒
２２２６  チャネル
２９４２  斜面
【図１】
0005473664.tif 000002
【図２】
0005473664.tif 000003
【図３】
0005473664.tif 000004
【図４】
0005473664.tif 000005
【図５】
0005473664.tif 000006
【図６】
0005473664.tif 000007